(57)【特許請求の範囲】
【請求項１】
アウトソール部と、
前記アウトソール部の表面に設けられたクリーツ部とを備えるゴルフシューズのソール構造であって、
前記クリーツ部は、前記アウトソール部の表面の外甲側に設けられた外甲側クリーツ部と、前記アウトソール部の表面の内甲側に設けられた内甲側クリーツ部とを含み、
前記外甲側クリーツ部は、前記アウトソール部を平面的に視た場合の前記アウトソール部の輪郭よりも外側に向かって張り出すように形成されており、
前記内甲側クリーツ部のうち後足部側の部分は、前記アウトソール部を平面的に視た場合の前記アウトソール部の輪郭よりも外側に向かって張り出すように形成されているとともに、前記内甲側クリーツ部のうち前足部および中足部の少なくとも一方の部分は、前記アウトソール部を平面的に視た場合の前記アウトソール部の輪郭から張り出さないように形成されており、
前足部および中足部に設けられた前記内甲側クリーツ部と前記外甲側クリーツ部とは、前記アウトソール部の表面から互いに分離独立して突出しており、前記分離独立して突出した前足部および中足部に設けられた内甲側クリーツ部と外甲側クリーツ部との間には、足幅方向の略中央領域に位置する谷部が設けられている、ゴルフシューズのソール構造。
【請求項２】
前記内甲側クリーツ部および外甲側クリーツ部は、それぞれ、前記アウトソール部の表面から互いに分離独立して突出する複数の内甲側クリーツ部および複数の外甲側クリーツ部からなる、請求項１に記載のゴルフシューズのソール構造。
【請求項３】
前足部の前記内甲側クリーツ部は、使用者のＭＰ関節を挟んだつま先側に設けられ、
中足部の前記内甲側クリーツ部は、使用者のＭＰ関節を挟んだ踵側に設けられている、請求項１または２に記載のゴルフシューズのソール構造。
【請求項４】
前記アウトソール部とクリーツ部とは、一体的に成形されている、請求項１〜３のいずれか１項に記載のゴルフシューズのソール構造。
【発明の詳細な説明】
【技術分野】
【０００１】
本発明は、ゴルフシューズのソール構造に関し、特に、アウトソール部と、アウトソール部の表面に設けられたクリーツ部とを備えるゴルフシューズのソール構造に関する。
【背景技術】
【０００２】
従来、アウトソール部と、アウトソール部の表面に設けられたクリーツ部とを備えるゴルフシューズのソール構造が知られている（特許文献１）。この特許文献１のゴルフシューズのソール構造は、アウトソールと、アウトソールの底表面にモールド（成型）された複数のポッドセクション（クリーツ部）とを備えている。複数のポッドセクションは、つま先、つま先の後に隣接する前足部、中足部、後足部および後足部の後に隣接する踵に設けられている。前足部、中足部および後足部の全てのポッドセクションは、それぞれ、内甲側および外甲側の両方でアウトソールを平面的に視た場合のアウトソールの輪郭よりも外側に向かって張り出している。これにより、このゴルフシューズのユーザは、芝に対する接地範囲を十分に確保することが可能である。
【先行技術文献】
【特許文献】
【０００３】
【特許文献１】特開２０１２−２３６０２６号公報
【発明の概要】
【発明が解決しようとする課題】
【０００４】
しかしながら、上記特許文献１のゴルフシューズのソール構造は、芝に対する接地範囲を十分に確保することが可能なものの、ショットのスイング開始からインパクトの間における、打球進行方向とは反対側の足の拇指球近傍を中心にして当該足を内甲側に倒れ込ませるように回動させる動作では、内甲側すべてのポッドセクション（クリーツ部）がアウトソールを平面的に視た場合のアウトソールの輪郭よりも外側に向かって張り出していることに起因して、拇指球近傍を中心にして足を回動させにくい。その結果、ユーザがショットのスイング開始からインパクトの間における重心移動をスムーズにできないという問題点があった。
【０００５】
本発明は上記課題を解決するためになされたものであり、芝に対する接地範囲を十分に確保しながらユーザの重心移動をスムーズに行うことが可能なゴルフシューズのソール構造を提供することを目的とする。
【課題を解決するための手段】
【０００６】
上記課題を解決するために、本発明によるゴルフシューズのソール構造は、アウトソール部と、アウトソール部の表面に設けられたクリーツ部とを備えるゴルフシューズのソール構造であって、クリーツ部は、アウトソール部の表面の外甲側に設けられた外甲側クリーツ部と、アウトソール部の表面の内甲側に設けられた内甲側クリーツ部とを含み、外甲側クリーツ部は、アウトソール部を平面的に視た場合のアウトソール部の輪郭よりも外側に向かって張り出すように形成されており、内甲側クリーツ部のうち後足部側の部分は、アウトソール部を平面的に視た場合のアウトソール部の輪郭よりも外側に向かって張り出すように形成されているとともに、内甲側クリーツ部のうち前足部および中足部の少なくとも一方の部分は、アウトソール部を平面的に視た場合のアウトソール部の輪郭から張り出さないように形成されており、前足部および中足部に設けられた内甲側クリーツ部と外甲側クリーツ部とは、アウトソール部の表面から互いに分離独立して突出しており、分離独立して突出した前足部および中足部に設けられた内甲側クリーツ部と外甲側クリーツ部との間には、足幅方向の略中央領域に位置する谷部が設けられている。
【０００７】
このゴルフシューズのソール構造では、上記のように、外甲側クリーツ部および内甲側クリーツ部のうち後足部側の部分を、アウトソール部を平面的に視た場合のアウトソール部の輪郭よりも外側に向かって張り出すように形成することによって、芝に対する接地範囲を十分に確保することができる。また、内甲側クリーツ部のうち前足部および中足部の少なくとも一方の部分を、アウトソール部を平面的に視た場合のアウトソール部の輪郭から張り出さないように形成することによって、上記従来文献の構造とは異なり、ショットのスイング開始からインパクトの間における打球方向とは反対側の足の拇指球近傍を中心にして当該足を内甲側に倒れ込ませるように回動させる動作を阻害することがない。これにより、拇指球近傍を中心に足を回動させるのを容易にすることができるので、ユーザがショットのスイング開始からインパクトの間における重心移動をスムーズに行うことができる。これらの結果、芝に対する接地範囲を十分に確保しながらユーザの重心移動をスムーズに行うことができる。
【０００８】
また、上記ゴルフシューズのソール構造において、好ましくは、内甲側クリーツ部および外甲側クリーツ部は、それぞれ、アウトソール部の表面から互いに分離独立して突出する複数の内甲側クリーツ部および複数の外甲側クリーツ部からなる。このように構成すれば、複数の内甲側クリーツ部および複数の外甲側クリーツ部が互いに独立しているので、足裏の屈曲に対応して隣接するクリーツ部の間でアウトソールを容易に屈曲させることができるので、ユーザの足裏の動作を妨げるのを抑制することができる。
【０００９】
また、上記ゴルフシューズのソール構造において、好ましくは、前足部の内甲側クリーツ部は、使用者のＭＰ関節を挟んだつま先側に設けられ、中足部の内甲側クリーツ部は、使用者のＭＰ関節を挟んだ踵側に設けられている。このように構成すれば、ＭＰ関節近傍、すなわち、拇指球近傍を中心に足を回動させるのを容易にすることができるので、ユーザがショットのスイング開始からインパクトの間の重心移動をスムーズに行うことができる。
【００１０】
また、上記ゴルフシューズのソール構造において、好ましくは、アウトソール部とクリーツ部とは、一体的に成形されている。このように構成すれば、2つ以上からなる部品を接着またはモールド成型する場合のように、部品間の界面で部品が分離することがないので、ソール構造の品質を向上することができる。
【発明の効果】
【００１１】
本発明に係るゴルフシューズのソール構造によれば、芝に対する接地範囲を十分に確保しながらユーザの重心移動をスムーズに行うことができる。
【図面の簡単な説明】
【００１２】
【図１】本発明の一実施形態によるゴルフシューズのソール構造を説明するためのアウトソールの底面図である。
【図２】図１のゴルフシューズのソール構造のアウトソールの平面図である。
【図３】図１のゴルフシューズのソール構造のアウトソールの内甲側側面図である。
【図４】図１のゴルフシューズのソール構造のアウトソールの外甲側側面図である。
【図５】図１のゴルフシューズのソール構造にユーザの骨格を重ね合わせた底面模式図である。
【図６】図１のＡ−Ａ断面図である。
【図７】図１のＢ−Ｂ断面図である。
【発明を実施するための形態】
【００１３】
図１〜図７を参照して、本発明の一実施形態によるゴルフシューズのソール構造１について説明する。
【００１４】
図１に示すように、ゴルフシューズのソール構造１は、アウトソール部２と、アウトソール部２の設置側表面に設けられたクリーツ部３とを備えている。アウトソール部２およびクリーツ部３は、同一材料による一体成型により形成されている。このゴルフシューズのソール構造１は、ミッドソールを設ける必要がない構造であり、このため、ユーザがスイングを行う際に発生するミッドソールのクッションによる接地感のブレを抑制可能な構造である。アウトソール部２は、たとえば、ポリウレタン（ＰＵ）、ナイロン等の熱可塑性樹脂、または、ブタジエンラバーやクロロプレンラバー等のラバー素材により構成されている。
【００１５】
アウトソール部２は、図２〜図４に示すように、ユーザの足裏と対向する足裏対向部２１と、足裏対向部２１の内甲側および外甲側に設けられた立ち上げ部２２ａおよび２２ｂと、ユーザの踵側面に対向するカウンター部２３とを含んでいる。立ち上げ部２２ａおよび２２ｂとカウンター部２３とは、それぞれ、足裏対向部２１の全外周を取り囲むように足裏対向部２１と一体的に形成されている。これにより、立ち上げ部２２ａおよび２２ｂとカウンター部２３とは、それぞれ、アウトソール部２を平面的に視た場合のアウトソール部２の輪郭Ｌを形成する。また、外甲側の立ち上げ部２２ｂは、内甲側の立ち上げ部２２ａよりも高い位置まで立ち上がるように構成されている。特に、立ち上げ部２２ｂのうちクリーツ部３の側方の立ち上げ部２２ｂの部分は、その他の立ち上げ部２２ｂの部分と比べて高い位置まで立ち上がっている。これにより、スイング時に足を十分にホールドするので、足の側方へのブレを抑制することが可能である。
【００１６】
クリーツ部３は、図１に示すように、アウトソール部２の接地側表面の外甲側に設けられた外甲側クリーツ部３０と、アウトソール部２の接地側表面の内甲側に設けられた内甲側クリーツ部３１と、アウトソール部２の接地側表面のつま先部分に設けられたつま先クリーツ部３２と、アウトソール部２の接地側表面の踵後端部に設けられた後端クリーツ部３３とを含んでいる。また、クリーツ部３には、クリーツ部材（図示せず）を着脱可能なクリーツ部材取り付け部（レセプタクル）３４がアウトソール部２にインサート成型されている。
【００１７】
外甲側クリーツ部３０は、アウトソール部２を平面的に視た場合のアウトソール部２の輪郭Ｌよりも外側、すなわち、さらに外甲側に向かって張り出すように形成されており、前足部、中足部および後足部の各々に設けられた複数の外甲側クリーツ部３０からなる。具体的には、外甲側クリーツ部３０は、アウトソール部２の接地側表面から互いに独立して突出する前足外甲側クリーツ部３０ａ、中足外甲側クリーツ部３０ｂおよび後足外甲側クリーツ部３０ｃを有している。
【００１８】
前足外甲側クリーツ部３０ａは、図５および図６に示すように、ユーザの第３ＭＰ関節〜第５ＭＰ関節よりもつま先側部位に対応する位置に設けられている。また、中足外甲側クリーツ部３０ｂは、ユーザの第３ＭＰ関節〜第５ＭＰ関節に対応する位置に設けられている。前足外甲側クリーツ部３０ａおよび中足外甲側クリーツ部３０ｂは、それぞれ、別個にアウトソール部２から突出するように形成されており、前足外甲側クリーツ部３０ａと中足外甲側クリーツ部３０ｂとの間には、谷部２ａが設けられている。これにより、足の屈曲に応じてアウトソール部２が屈曲可能である。また、後足外甲側クリーツ部３０ｃは、ユーザの腫骨の外甲側に対応する位置に設けられている。
【００１９】
内甲側クリーツ部３１は、前足部、中足部および後足部の各々に設けられた複数の内甲側クリーツ部３１からなる。具体的には、内甲側クリーツ部３１は、アウトソール部２の接地側表面から互いに独立して突出する前足内甲側クリーツ部３１ａ、中足内甲側クリーツ部３１ｂおよび後足内甲側クリーツ部３１ｃを有している。
【００２０】
前足内甲側クリーツ部３１ａは、ユーザの第１ＭＰ関節のつま先側部位に対応する位置に設けられている。また、中足内甲側クリーツ部３１ｂは、ユーザの第１ＭＰ関節の踵側部位に対応する位置に設けられている。言い換えると、中足内甲側クリーツ部３１ｂは、ユーザの拇指球に対応する位置に設けられている。前足内甲側クリーツ部３１ａおよび中足内甲側クリーツ部３１ｂは、それぞれ、別個にアウトソール部２から突出するように形成されており、前足内甲側クリーツ部３１ａと中足内甲側クリーツ部３１ｂとの間には、谷部２ｂが設けられている。谷部２ｂは、第１ＭＰ関節に対応する位置に設けられ、これにより、ＭＰ関節の屈曲に応じてアウトソール部２が容易に屈曲可能である。
【００２１】
ここで、本実施形態では、ユーザの第１ＭＰ関節よりもつま先側部位に対応する前足内甲側クリーツ部３１ａは、アウトソール部２を平面的に視た場合のアウトソール部２の輪郭Ｌから張り出さないように形成されている。具体的には、前足内甲側クリーツ部３１ａの内甲側端面３１ｄは、その全端面が輪郭Ｌよりも幅Ｄ１（約１ｍｍ〜約３ｍｍ）内側、すなわち、外甲側にオフセットするように位置しており、アウトソール部２を平面的に視た場合における輪郭Ｌと略平行な曲面を有している。なお、内甲側端面３１ｄと輪郭Ｌのオフセット幅Ｄ１は、約７ｍｍ以内であればよく、オフセットせず、内甲側端面３１ｄと輪郭Ｌとが一致、すなわち、面一であってもよい。
【００２２】
また、ユーザの拇指球に対応する中足内甲側クリーツ部３１ｂは、アウトソール部２を平面的に視た場合のアウトソール部２の輪郭Ｌから張り出さないように形成されている。具体的には、中足内甲側クリーツ部３１ｂの内甲側端面３１ｅは、その全端面が輪郭Ｌよりも幅Ｄ２（約１ｍｍ〜約３ｍｍ）内側、すなわち、外甲側にオフセットするように位置しており、アウトソール部２を平面的に視た場合における輪郭Ｌと略平行な曲面を有している。なお、内甲側端面３１ｅと輪郭Ｌのオフセット幅Ｄ２は、約７ｍｍ以内であればよく、オフセットせず、内甲側端面３１ｅと輪郭Ｌとが一致、すなわち、面一であってもよい。
【００２３】
内甲側クリーツ部３１のうち後足部側の後足内甲側クリーツ部３１ｃは、図５および図７に示すように、アウトソール部２を平面的に視た場合のアウトソール部２の輪郭Ｌよりも外側に向かって張り出すように形成されている。
【００２４】
また、外甲側クリーツ部３０と内甲側クリーツ部３１との間は、図１、図６および図７に示すように、谷部２ｃを有しており、谷部２ｃは、アウトソール部２の足幅方向の略中央領域に位置している。この谷部２ｃは、図１に示すように、足幅方向の中心線Ｃに沿った屈曲が外甲側クリーツ部３０および内甲側クリーツ部３１に阻害されないように、アウトソール部２を屈曲しやすくする機能を有する。
【００２５】
また、図６に示すように、前足内甲側クリーツ部３１ａおよび前足外甲側クリーツ部３０ａは、アウトソール部２の谷部２ｃから高さＨ１だけ突出している。高さＨ１は、レセプタクル３４が収納される前足内甲側クリーツ部３１ａ（前足外甲側クリーツ部３０ａ）およびアウトソール部２をあわせた肉厚よりも小さくなるように設定されており、本実施形態では、高さＨ１は約３．５ｍｍである。なお、高さＨ１は、レセプタクル３４の厚みとアウトソール部２の肉厚に応じて変更可能であり、たとえば、約３ｍｍ〜約６．５ｍｍの範囲で実施可能である。
【００２６】
また、図７に示すように、後足内甲側クリーツ部３１ｃおよび後足外甲側クリーツ部３０ｃは、アウトソール部２の谷部２ｃから高さＨ２だけ突出している。本実施形態では、高さＨ２は約１０ｍｍである。なお、高さＨ２は、レセプタクル３４の厚みとアウトソール部２の肉厚に応じて変更可能であり、たとえば、約３ｍｍ以上の範囲で実施可能である。
【００２７】
また、図１および図２に示すように、つま先クリーツ部３２は、その前端部分がアウトソール部２を平面的に視た場合における輪郭Ｌと略一致する曲面を有している。一方で、後端クリーツ部３３は、その後端部分がアウトソール部２を平面的に視た場合における輪郭Ｌよりも外側に向かって張り出すように形成されている。
【００２８】
上記のように、本実施形態では、外甲側クリーツ部３０および内甲側クリーツ部３１のうち後足部側の部分を、アウトソール部２を平面的に視た場合のアウトソール部２の輪郭Ｌよりも外側に向かって張り出すように形成することによって、芝に対する接地範囲を十分に確保することができる。また、前足内甲側クリーツ部３１ａおよび中足内甲側クリーツ部３１ｂを、アウトソール部２を平面的に視た場合のアウトソール部２の輪郭Ｌから張り出さないように形成することによって、ショットのスイング開始からインパクトの間における打球方向とは反対側の足の拇指球近傍を中心にして当該足を内甲側に倒れ込ませるように回動させる動作を阻害することがない。これにより、拇指球近傍を中心に足を回動させるのを容易にすることができるので、ユーザがショットのスイング開始からインパクトの間における重心移動をスムーズに行うことができる。これらの結果、芝に対する接地範囲を十分に確保しながらユーザの重心移動をスムーズに行うことができる。
【００２９】
なお、今回開示された実施形態は、すべての点で例示であって制限的なものではないと考えられるべきである。本発明の範囲は、上記した実施形態の説明ではなく特許請求の範囲によって示され、さらに特許請求の範囲と均等の意味および範囲内でのすべての変更が含まれる。
【００３１】
また、上記実施形態では、クリーツ部をアウトソール部と一体的に構成した例を示したが、本発明はこれに限られない。本発明では、たとえば、クリーツ部をアウトソール部にモールド成型することにより取り付けてもよいし、クリーツ部をアウトソール部に接着することにより取り付けてもよい。
【００３２】
また、上記実施形態では、ミッドソールを設けないゴルフシューズのソール構造の例について示したが、本発明はこれに限られない。本発明では、ミッドソールを別途備える構造であってもよい。
【００３３】
また、上記実施形態では、立ち上げ部およびカウンター部により足裏対向部の全外周を取り囲んだ構造の例について示したが、本発明はこれに限られない。本発明では、立ち上げ部およびカウンター部により足裏対向部の全外周を取り囲まなくてもよい。
【００３４】
また、上記実施形態では、レセプタクルを有するクリーツ部を設けた例について示したが、本発明はこれに限られない。本発明では、レセプタクルを設けないクリーツ部であってもよい。
【符号の説明】
【００３５】
１  ゴルフシューズのソール構造
２  アウトソール部
３  クリーツ部
３０  外甲側クリーツ部
３１  内甲側クリーツ部
３１ａ  前足内甲側クリーツ部
３１ｂ  中足内甲側クリーツ部
【要約】
【課題】芝に対する接地範囲を十分に確保しながらユーザの重心移動をスムーズに行うことが可能なゴルフシューズのソール構造を提供する。
【解決手段】本発明のシューズのアッパー１の外甲側クリーツ部３０は、アウトソール部２を平面的に視た場合のアウトソール部２の輪郭よりも外側に向かって張り出すように形成されている。内甲側クリーツ部３１のうち後足部側の部分は、アウトソール部２を平面的に視た場合のアウトソール部２の輪郭よりも外側に向かって張り出すように形成されているとともに、内甲側クリーツ部３１のうち前足部および中足部の少なくとも一方の部分は、アウトソール部２を平面的に視た場合のアウトソール部２の輪郭から張り出さないように形成されている。
【選択図】図１【図１】
0005909295.tif 000002
【図２】
0005909295.tif 000003
【図３】
0005909295.tif 000004
【図４】
0005909295.tif 000005
【図５】
0005909295.tif 000006
【図６】
0005909295.tif 000007
【図７】
0005909295.tif 000008